(57)【要約】【課題】  本発明の掲示物立設スタンドは、台座部上に折畳まれた支持部材を垂直方向に立て、保持部材を１操作で或は台座部上の支柱部を垂直方向に立てると保持部材が自動的に移動し、台座部と支持部材の取付け角度を保持する掲示物立設スタンドを提供する。【解決手段】  本発明の掲示物立設スタンドは、台座部１と、該台座部１の取付け位置に形成され或は取付けられ若しくは取付ける取付け部４と、該取付け部４に回動可能に取付けられ、掲示物の下部に取付けられた棒状体を取付ける支持部材２と、該支持部材２の長手方向に摺動可能に取付けられ、倒伏した支持部材２を起立させ下方に摺動し或は倒伏した支持部材２を起立させると重力に従って下方に摺動し、台座部１上に起立させられた支持部材２の起立角度が保持される保持部材３と、を備えることを特徴とする。【選択図】      図１
2007120213.tif 000002
【特許請求の範囲】
【請求項１】
台座部と、
該台座部に設けられた取付け部と、
該取付け部に回動可能に取付けられ、掲示物に取付けられた棒状体を支持する支持部材と、
該支持部材に摺動可能に取付けられ、支持部材を台座に対して起立させたとき支持部材を摺動して支持部材の下端部と取付部とを係合して支持部材を起立状態に保持する保持部材と、
を備えることを特徴とする掲示物立設スタンド。
【請求項２】
前記保持部材が、支持部材に外挿された筒体であることを特徴とする請求項１記載の掲示物立設スタンド。
【請求項３】
前記台座部が、支点により回動可能な複数部材からなり、複数の部材を回動することによって１の部材に重ねることが可能なことを特徴とする請求項１又は２記載の掲示物立設スタンド。
【請求項４】
前記支点が、複数部材からなる台座部を圧接させる弾性体を一端部に有する支点軸から成ることを特徴とする請求項３記載の掲示物立設スタンド。
【請求項５】
前記支持部材に取付けた掲示物の棒状体を支持部材に押圧して固定する押圧部材が設けられていることを特徴とする請求項１から４のいずれかに記載の掲示物立設スタンド。
【発明の詳細な説明】
【技術分野】
【０００１】
本発明は、掲示物立設スタンドに関し、更に詳しくは、旗や幟等の支柱を備え或は立看板等の支柱条の脚を備えた掲示物を立設するための掲示物立設スタンドに関する。
【背景技術】
【０００２】
従来、特許文献として特開２００４−２０５６４２号があった。この出願のスタンドは、板状の台座部と、前記台座部上に立設された支柱部とを備えたスタンドであって、前記支柱部が前記台座部に対して起立した状態と横臥した状態との間で変位可能に接続され、かつ、前記支柱部を前記台座部に対して起立させた状態で固定可能な固定部材が備えられている。前記台座部には、外周にねじ溝を形成した突起が突設され、前記固定リングは、縦断面円錐台形の筒状につくられ、内面にねじ溝が設けられている。
【特許文献１】特開２００４−２０５６４２
【発明の開示】
【発明が解決しようとする課題】
【０００３】
上記構成のスタンドは、支柱部を取り外さなくともスタンドを重ね合わせて収納することができるから、収納スペースを節約できるものである。しかしながら、台座部の突起のねじ溝に固定リングのねじを螺着することにより台座部に立設した支柱部を固定するようになっている。その結果、風雨にさらされて使っているうちにこれらのねじが錆び、固定リングを手で簡単に取付けたり、取外したりできなくなったりする。このようなネジの螺着・螺脱作業を厳冬期に屋外でやるのは、大変辛い作業である。又、板状の台座部は、重量が重くなるだけでなく、製造コストと輸送コストが高くつき、保管スペースも広く必要であり、ホームセンター等の売り場スペースの確保が難しいなど諸々の不都合があった。
【０００４】
本発明は、台座部上に折畳まれた掲示物の棒状体を取付ける支持部材を垂直方向に起し、保持部材を１操作するだけで、或は、台座部上の支持部材を垂直方向に起すだけで保持部材が自動的に移動し、台座部上の起された支持部材の起上り角度が保持される掲示物立設スタンドを提供するものである。又、売り場スペース縮小可能な台座部を備えた掲示物立設スタンドにより前記売り場スペースを容易に確保することにより売上を促進できる掲示物立設スタンドを提供するものである。
【課題を解決するための手段】
【０００５】
本発明の請求項１の掲示物立設スタンドは、台座部と、該台座部に設けられた取付け部と、該取付け部に回動可能に取付けられ、掲示物に取付けられた棒状体を支持する支持部材と、該支持部材に摺動可能に取付けられ、支持部材を台座に対して起立させたとき支持部材を摺動して支持部材の下端部と取付部とを係合して支持部材を起立状態に保持する保持部材と、を備えることを特徴とする。尚、ここで言う起立とは、支持部材を垂直に起立させた場合のみならず、傾斜させた支持部材に掲示物の棒状体を係合したとき掲示物が倒伏しない角度であれば傾斜していても良く、７０度や８０度時には４５度に傾斜させることもある
【０００６】
請求項２の掲示物立設スタンドは、前記保持部材が、支持部材に外挿された筒体であることを特徴とし、請求項３の掲示物立設スタンドは、前記台座部が、支点により回動可能な複数部材からなり、複数の部材を回動することによって１の部材に重ねることが可能なことを特徴とし、請求項４の掲示物立設スタンドは、前記支点が、複数部材からなる台座部を圧接させる弾性体を一端部に有する支点軸から成ることを特徴とし、請求項５の掲示物立設スタンドは、前記支持部材に取付けた掲示物の棒状体を支持部材に押圧して固定する押圧部材が設けられていることを特徴とする。
【０００７】
尚、本発明で言う掲示物とは、主に屋外で使用する旗、幟或は立看板をさし、文字、記号、形状或は色彩等により表示し、見る人に何らかの意思、思い、考え、感覚等を伝えようとするものを言い、形状は問わない。
【発明の効果】
【０００８】
本発明の請求項１の掲示物立設スタンドは、台座部の取付け位置に取付けられ取付け部に支持部材が回動可能に取付けられているので、不使用時に支持部材を折畳めばコンパクトになり歩行の邪魔にならず、狭い保管スペースでよいから容易に屋内に保管でき全く歩行の邪魔にならない。該支持部材の長手方向に摺動可能に取付けられ、倒伏した支持部材を起立させ下方に摺動し或は倒伏した支持部材を起立させると重力に従って下方に摺動し、台座部上に起立させられた支持部材の起立角度が保持される保持部材を備える。掲示物立設スタンドを使用するときはこの支持部材を起立させるだけで保持部材が重力で下方に移動し或は支持部材を起立させ保持部材を下方に移動し支持部材に掲示物を取付ければ簡単に掲示物を立てられる。
【０００９】
請求項２の掲示物立設スタンドは、前記保持部材が、支持部材に外挿された筒体であり請求項１と同様の効果がえられ、
【００１０】
請求項３の掲示物立設スタンドは、前記台座部が、支点により回動可能な複数部材からなるので、台座部もコンパクトに折畳めるから請求項１又は２の効果と相乗され更の高い効果が得られた。
【００１１】
請求項４の掲示物立設スタンドは、請求項３の効果に加え、前記支点が、複数部材からなる台座部を圧接させる弾性体を一端部に有する支点軸から成るので、保持しながら掲示物立設スタンドを安定状態で立設できた。
【００１２】
請求項５の掲示物立設スタンドは、前記請求項１から４の効果に加え、前記支持部材に取付けた掲示物の棒状体を支持部材に押圧して固定する押圧部材が設けられているので、短な支持部材で掲示物の棒状体を固定できるから、請求項１〜４の効果に相乗効が加えられた。
【発明を実施するための最良の形態】
【００１３】
本発明の掲示物立設スタンドは、図１の分解斜視図及び図２の縦断面図に示すように台座部１上に回動可能の設けられた支持部材２を起立させ、保持部材３により支持部材２を台座部１上に起立させた起立角度に保持できるもので、支持部材２は、筒体で形成され、旗、幟、看板などの掲示物の下部に取付けられた棒状体（図示せず）を挿入できるように上端が開口２ａとなっている。
【００１４】
前記台座部１は、角板、円板その他任意の形状に造られている。この台座部１は、ほぼ垂直に起立させた支持部材２（支持部材２を傾斜させても良い）に掲示物の棒状体を係合したとき、この掲示物が倒伏しない形状であり、図示した角板に拘るものではない。この台座部１上の取付け位置に間隔を隔てて２個の突起からなる取付け部４を設ける。この取付け部である突起４の先端部には夫々貫通孔４ａが開けられている。この取付け部４は、断面コ状の帯板で形成し、台座部１の取付け位置に溶着したものである。前記支持部材２の下端の軸心を通る直線の円周上にも貫通孔２ｂが開けられ、別途設けた１本の回動軸５を上記取付け部４の貫通孔４ａと支持部材２の貫通孔２ｂとを相通させ、取付け部４と支持部材２が回動可能となっている。図では、取付け部４が２個の突起で示してあるが、取付け部４を１個の突起とし、突起が嵌る切欠を支持部材２の下端に形成し、支持部材２と突起の両者に設けた孔に１本の回動軸５を相通して回動可能としてもよい。５ａはナットである。尚、本実施例の台座部１は、金属板で形成した台座部１に別途形成した取付け部４を溶接やネジ止め等により取付けられたものや使用時にネジなどで取付けるものを説明している。しかしながら、金属製台座部をプレス加工することにより取付け部４を形成したり、合成樹脂により成型加工で一体成型することもできる。
【００１５】
この取付け部４は、溶着により取付けるが、図３の要部分解斜視図に示すように、台座部１の取付け位置と取付け部４にそれぞれ貫通孔６ａ，６ｂを形成し、これらの貫通孔６ａ，６ｂにネジ７を相通してナット７ａを螺着するなど他の取付け方法であっても良い。又、支持部材２である筒体の先端は、掲示物の棒状体を挿入しやすいようにラッパ状に押し広げられている。尚、支持部材２は、筒体に拘るものではなく、棒状体の１側に適度の間隔を隔てて複数のリングを取付けたものなどいろいろ考えられる（図示せず）。
【００１６】
この台座部１に取付け部４を取付けたときの取付け部４の両側で支持部材２を回動する方向に突条８（或は突起）を設けたり、取付け部４を取付ける台座部１の位置を取付け部４の下端が嵌り込む凹部（図示せず）とすることもできる。即ち、取付け部４の取付け位置を凹凸で形成すると、後述する台座部１が回動可能な複数部材で形成されたときに特に効力を発揮する（以上図３）。
【００１７】
上記支持部材２の長手方向に摺動可能な角筒からなる保持部材３を外挿する。この保持部材３の下端には、前記取付け部４が嵌る切欠３ａが設けられている。支持部材２を起立させ保持部材３を下方に摺動し、保持部材３の切欠３ａに取付け部４が嵌ると、保持部材３が取付け部４と支持部材２の連結された回動部を覆い、台座部１上にほぼ垂直に立ち上げられた支持部材２の起立角度を保持できる。保持部材３が支持部材２に緩やかに外挿されておれば、支持部材２を起立させるだけで保持部材３が重力により下方に摺動する。保持部材３が支持部材２に硬く外挿されておれば、支持部材２を起立させた後、保持部材３を下方に摺動させる。
【００１８】
この支持部材２に摺動可能に外挿された保持部材３は、下方に摺動し取付け部４と支持部材２の連結部を外側から覆い係合しているだけであり、固定されたものではないないから、保持部材３を軽く押上げるだけで簡単に上方に摺動でき、支持部材２を倒伏させることができる。尚、図では、保持部材３には補強材として断面コ状の補強材９が外装されていて、補強材９の上端には支持部材２が挿入される貫通孔９ａが開けられ、保持部材３の摺動を妨げないようになっている。又、支持部材２の外周には突起２ｃが突設されており、保持部材３の摺動範囲を一定の範囲に規制している。更に、支持部材２の外周に長手方向の突条を設け、この突条が嵌る切欠を保持部材３の内側に設けるなどガイド部材を設けることにより保持部材３を支持部材２の円周方向への回動を防ぎ、保持部材３を支持部材２の長手方向と平行に摺動させることができる。
【００１９】
上記構成の掲示物立設スタンドは、台座部１上に支持部材２が倒伏した状態のときの角筒からなる保持部材３の位置が、取付け部４と支持部材２の回動部から外れており、支持部材２の先端寄りにある。この状態から支持部材２をほぼ垂直に起立させると、保持部材３は重力に従って下方に摺動し（重力により摺動しないときは、手で押し下げる）、保持部材３の下部の切欠３ａに取付け部４が嵌り、支持部材２の下端部と取付け部４の回動部の外周が保持部材３に覆われ、支持部材２がほぼ垂直に起立して保持される。こうして支持部材２をほぼ垂直に起立させ、筒からなる支持部材２の先端の開口２ａに掲示物の棒体の端部を差込むだけで掲示物を立てられる。このようにほぼ垂直に起立している支持部材２を横倒しするには、支持部材２から掲示物を取り去る前又は後で保持部材３を単に上方に摺動するだけで簡単に横倒しできる。尚、取付け部４の形状次第で支持部材２を任意の角度に傾斜させることもできる。
【００２０】
以上のような構成の掲示物立設スタンドは、支持部材２を倒伏即ち折畳めるので不使用時には、掲示物を取り外し、支持部材２を倒しておけば歩行の妨げにならない。又、支持部材２を倒した掲示物立設スタンドは、保管スペースが少なくて済むから屋内の片隅に保管すれば、全く歩行の妨げにならず、製造から販売に至る間の保管コストも流通コストも大変安くつく。更に、取付け部４をネジ７で止めるなど着脱可能とすれば、掲示物立設スタンドを台座部１とその他の部分（取付け部４、支持部材２、保持部材３）に２分して保管したり移動したりでき、前記効果を増幅できる。
【００２１】
上記構成の掲示物立設スタンドの保持部材３の摺動範囲は、殆ど直線のみで構成されておりネジ山もなく錆び辛い構造であり、錆付いて保持部材３を動かせず折畳み不能になることがないから長期間にわたって使える。
【００２２】
図４の要部拡大縦断面図に示すように取付け部１４の平面の外形を円筒からなる支持部材１２の横断面の外形より大きくない形状とする。即ち、保持部材１３を支持部材１２と取付け部１４の両者に外接して摺動する形状とする。次に、支持部材１２の下端部を細く絞り込み、上記取付け部１４に回動軸１５により回動可能に取付ける。（１２ｂと１５ａは貫通孔であり、１５ｂはネジ溝付貫通孔である。）
【００２３】
このような構成とした掲示物立設スタンドの保持部材１３は、回動軸１５が取付け部１４から外に飛出していないので、下端に切欠３ａを有する角筒ではなく単なる筒体（円筒、角筒その他の筒体の何れでも良い）で良いのである。即ち、保持部材１３は、支持部材１２に摺動可能に取付けられ、保持部材１３が下方に摺動したとき取付け部１４とこの取付け部１４に回動可能に取付けた支持部材１２とが所定の角度で連結された状態を保持できる形状であれば如何なる形状であっても良く、図示したものに拘るものではない。
【００２４】
図５の分解斜視図と図６の要部拡大縦断面図に示すように前記台座部１をＸ状に交差させた２枚の細長い帯板（或は棒状体）２２ａ，２２ｂで形成した台座部２１とする。平面に置いたときの台座部２１が、がたつかないようにＸ状に交差させた台座部２１の一方の帯板２２ａ（交点で上になる方）は、交点２３で曲折されている。前記取付け部４を取付ける取付け位置としの台座部２１の交点２３に取付け部４を重ねた状態で連通する貫通孔２６を形成する。別途上部にコイルスプリングからなる弾性体２４（板バネや皿バネ或はゴム等他の弾性体でも良い）を取付けた支点軸２５を設け、この支点軸２５を上記貫通孔２６に挿入し固定する。この弾性体２４は、Ｘ状に交差させた２枚の細長い帯板２２ａ，２２ｂ（或は棒状体）からなる台座部２１を常時圧接している。このときのＸ状の台座部２１と取付け部４は、支点軸２５を支点として回動或は回転可能である。
【００２５】
取付け位置に取付けた取付け部４の回動或は回転を規制するため、取付け部４に取付けた支持部材２の回動方向であり台座部２１の取付け位置の前後に突条８（或は突起等、図３参照）を形成したり、或は、取付け位置を取付け部４の下部が嵌り込む凹部として形成しても良い〔取付け部４の外形が円形のときは，更に取付け部回転止めを設けることが望ましい（図示せず）。即ち、取付け部４の回動或は回転を規制する規制処置を施す〕。尚、支持部材２を折畳む際、台座部２１上に突出した支点軸２５が引っ掛らないように支持部材２の倒伏方向の下端が切り欠かれ切欠２ｄとなっている。
【００２６】
上記構成の掲示物立設スタンドは、支点軸２５で回動或は回転可能な２本の帯板２２ａ，２２ｂからなるＸ状の台座部２１は、何れか１本の帯板２２ａ，２２ｂを回動或は回転させると１本の棒状になる。この２本の帯板２２ａ，２２ｂからなるＸ状の台座部２１を棒状に折畳んだ上で台座部２１上の支持部材２を更に折畳むと、掲示物立設スタンド全体が非常にコンパクトな１本の棒状体になる。この掲示物立設スタンドは、乗用車の助手席だけでも数十本、トランクなら１００本以上を搭載できる。このようなコンパクトに簡単に折畳める掲示物立設スタンドは、不使用時の夜間には屋内の片隅に保管でき屋外に放置しなくて済むから屋外に放置された掲示物立設スタンドで怪我をすることもなく、破損されることもなくなる。
【００２７】
図７の要部拡大斜視図に示すように掲示物立設スタンドの支持部材２に取付けた掲示物の棒状体を固定するため、筒体からなる支持部材２の上端（上端でなくとも良い）に切欠３１を設け、この切欠３１に固定部材としての押圧部材３２を取付ける。この押圧部材３２は、支持部材２の切欠３１と反対側から嵌め込まれ、支持部材２に固定されたＵ型の取付け具３３の先端に取付けられ、央部に突設された取っ手３２ａにより９０度ほど回動されて前記掲示物の棒状体を押圧固定するものである。Ｕ型の取付け具３３の自由端である両先端には、貫通孔３３ａが開けられている。央部に取っ手３２ａが突設された円柱状（楕円柱や角柱などでも良い）の押圧部材３２の両端の偏心した位置に取付ける軸棒３４を前記Ｕ型の取付け具３３の両先端の貫通孔３３ａに挿通させて取付ける。尚、この掲示物の棒状体を固定する固定手段は、筒体からなる支持部材２に先端が平らなネジを逆放射方向から螺着してもよいし、その他の構造でも良い。
【００２８】
上記構成の掲示物立設スタンドは、偏心させて取付けられた円柱状の押圧部材３２の央部の取っ手３２ａを約９０度回動すると支持部材２に取付けた掲示物の棒状体が押圧固定される。以上のような構成を備えた掲示物立設スタンドは、支持部材２を短くしても掲示物立設スタンドに立てた状態で取付けた掲示物が安定している。その結果、掲示物立設スタンドを更にコンパクトにでき、郵送も楽々可能である。
【産業上の利用可能性】
【００２９】
本発明の掲示物立設スタンドは、宣伝用の掲示物を簡単に立てるスタンドとして利用できる。
【図面の簡単な説明】
【００３０】
【図１】本発明の掲示物立設スタンドを示す分解斜視図である。
【図２】図１のＡ−Ａ線切断断面図である。
【図３】本発明の掲示物立設スタンドを示す要部分解斜視図である。
【図４】本発明の掲示物立設スタンドを示す要部拡大縦断面図である。
【図５】本発明の掲示物立設スタンドを示す分解斜視図である。
【図６】図５のＢ−Ｂ線切断断面図である。
【図７】本発明の掲示物立設スタンドを示す要部拡大分解斜視図である。
【符号の説明】
【００３１】
１        台座部
２        支持部材
３        保持部材
４        取付け部
１２        支持部材
１３        保持部材
１４        取付け部
２１        台座部
２４        弾性体（コイルスプリング、板バネ、皿バネ、ゴム等）
２５        支点（支点軸）
３２        押圧部材
【図１】
2007120213.tif 000003
【図２】
2007120213.tif 000004
【図３】
2007120213.tif 000005
【図４】
2007120213.tif 000006
【図５】
2007120213.tif 000007
【図６】
2007120213.tif 000008
【図７】
2007120213.tif 000009